(57)【要約】【課題】電子基板１０１をカバー部１０３から取り外すことなく、電子基板１０１におけるカバー部１０３底面に対して電子基板の点検、電子基板に対する部品固定、電子基板に対するねじ締付等の作業を行うことができる電動オイルポンプ１を提供する。【解決手段】インバータ１００が、電子基板を収容し、且つモータハウジング１４内のモータを覆うカバー部１０３を備え、カバー部１０３が、カバー部１０３内に収容される電子基板に対向する第１開口、及び第２開口と、第１開口を塞ぐ第１閉塞部材１０３ｅと、第２開口を塞ぐ第２閉塞部材１０３ｆとを底部１０３ａに備える。【選択図】  図１４
2020067035.tif 000002
【特許請求の範囲】
【請求項１】
ポンプ部と、前記ポンプ部を駆動するモータ部と、前記モータ部の駆動を制御するインバータとを備え、
前記モータ部が、モータを収容するハウジングを備え、
前記インバータが、電子基板を備える電動オイルポンプであって、
前記インバータが、前記電子基板を収容し、且つ前記ハウジング内のモータを覆うカバー部を備え、
前記カバー部が、前記カバー部内に収容される前記電子基板に対向する開口と、前記開口を塞ぐ閉塞部材とを底部に備える、
電動オイルポンプ。
【請求項２】
前記電子基板が、半田付け用のスルーホールを備え、
前記カバー部が、前記スルーホールに貫通するリードを備え、
前記リードが、前記スルーホールに半田付けされ、
前記開口が、前記電子基板の両面のうち、前記底部との対向面における前記リードに対向する、
請求項１に記載の電動オイルポンプ。
【請求項３】
前記カバー部が、電源受け入れ用のコネクタを備え、
前記リードが、前記コネクタのリードである、
請求項２に記載の電動オイルポンプ
【請求項４】
前記ハウジングが、雌ねじと、前記雌ねじに対して前記電子基板の厚み方向に重ね合わさるハウジング側端子とを備え、
前記電子基板が、前記ハウジング側端子に対して前記厚み方向に重ね合わさる基板側端子と、前記雌ねじにねじ込まれる雄ねじの頭部よりも大径の貫通穴とを備え、
前記貫通穴が、互いに重なる前記雌ねじ、前記ハウジング側端子、及び前記基板側端子に対向し、
前記開口が、前記貫通穴に対向する、
請求項１に記載の電動オイルポンプ。
【請求項５】
前記ハウジング側端子、及び前記雌ねじのそれぞれが、前記ハウジングに３つ設けられて３相電源のＵ相、Ｖ相、Ｗ相に個別に電気接続され、
前記基板側端子が、前記電子基板に３つ設けられてＵ相、Ｖ相、Ｗ相に個別に電気接続され、
前記貫通穴が、前記電子基板に３つ設けられて３つの前記基板側端子に個別に対向する、
請求項４に記載の電動オイルポンプ。
【請求項６】
前記カバー部、及び前記閉塞部材のそれぞれが、樹脂からなり、
前記閉塞部材が、前記カバー部の前記底部に接着又は溶着される、
請求項１乃至５の何れか一項に記載の電動オイルポンプ。
【請求項７】
前記閉塞部材が、前記底部よりも光透過性の高い樹脂からなり、前記底部に溶着される、
請求項６に記載の電動オイルポンプ。
【発明の詳細な説明】
【技術分野】
【０００１】
本発明は、電動オイルポンプに関する。
【背景技術】
【０００２】
従来、ポンプ部と、ポンプ部を駆動するモータ部と、モータ部の駆動を制御するインバータとを備える電動オイルポンプが知られている。
【０００３】
例えば、特許文献１に記載の電動オイルポンプは、ポンプ部と、ポンプ部を駆動するモータ部としての電動機収容部と、インバータとしての制御部とを備える。電動機収容部は、ハウジング内に収容されるモータによってポンプ部を駆動する。制御部は、電子基板と、電子基板を収容するケースとを備える。電子基板は、インバータ回路を備える。
【先行技術文献】
【特許文献】
【０００４】
【特許文献１】特開２０１６−１５１２４３号公報
【発明の概要】
【発明が解決しようとする課題】
【０００５】
特許文献１に記載の電動オイルポンプにおいて、作業者がケースに固定した電子基板におけるケース底面との対向面に対して作業を行うためには、電子基板をケースから取り外さなければならず、手間を要するという課題がある。
【０００６】
そこで、本発明の目的は、ケース等の電子基板を収容する部材から電子基板を取り外すことなく、電子基板における、前記部材の底面との対向面に対して作業を行うことができる電動オイルポンプを提供することである。
【課題を解決するための手段】
【０００７】
本願の例示的な第１発明は、ポンプ部と、前記ポンプ部を駆動するモータ部と、前記モータ部の駆動を制御するインバータとを備え、前記モータ部が、モータを収容するハウジングを備え、前記インバータが、電子基板を備える電動オイルポンプであって、前記インバータが、前記電子基板を収容し、且つ前記ハウジング内のモータを覆うカバー部を備え、前記カバー部が、前記カバー部内に収容される前記電子基板に対向する開口と、前記開口を塞ぐ閉塞部材とを底部に備える、電動オイルポンプである。
【発明の効果】
【０００８】
本願の例示的な第１発明によれば、電子基板を収容するカバー部から電子基板を取り外すことなく、電子基板におけるカバー部底面との対向面に対して作業を行うことができる。
【図面の簡単な説明】
【０００９】
【図１】実施形態に係る電動オイルポンプを部分的に破断して示す破断斜視図である。
【図２】同電動オイルポンプにおけるモータハウジング、及びポンプハウジングを除く部分を示す斜視図である。
【図３】同電動オイルポンプの外観を示す斜視図である。
【図４】インバータを取り外した状態の同電動オイルポンプを示す斜視図である。
【図５】同モータハウジング内に設けられる端子台の拡大斜視図である。
【図６】電子基板が組み付けられていない状態の同インバータを示す斜視図である。
【図７】電子基板が組み付けられた状態の同インバータを示す斜視図である。
【図８】同電子基板と、カバー部に設けられるリードとを示す断面図である。
【図９】同モータハウジングに同カバー部が取り付けられた状態の同電動オイルポンプを、カバー部側から示す平面図である。
【図１０】同モータハウジングに取り付けられた同カバー部における第１開口の周囲部分を拡大して示す平面図である。
【図１１】同モータハウジングに取り付けられた同カバー部の軸方向の端部を、同モータハウジングに設けられる一部の部品とともにカバー部の内側から示す斜視図である。
【図１２】同モータハウジングに取り付けられた同カバー部の軸方向の端部をカバー部の外側から示す斜視図である。
【図１３】同第１開口が塞がれた状態の同カバー部の軸方向の端部をカバー部の外側から示す斜視図である。
【図１４】同カバー部の同第１開口、及び第２開口が塞がれた状態の電動オイルポンプを示す平面図である。
【図１５】変形例に係る電動オイルポンプの端子台、及び電子基板を示す正面図である。
【発明を実施するための形態】
【００１０】
以下、図面を参照しながら、本発明の実施形態に係る電動オイルポンプについて説明する。本実施形態では、自動車等の車両に搭載されるトランスミッションにオイルを供給する電動オイルポンプについて説明する。また、以下の図面においては、各構成をわかり易くするために、実際の構造と各構造における縮尺及び数等を異ならせる場合がある。
【００１１】
また、図面においては、適宜３次元直交座標系としてＸＹＺ座標系を示す。ＸＹＺ座標系において、Ｚ軸方向は、図１に示される中心軸Ｊの軸方向と平行な方向とする。中心軸Ｊは、後述するモータ部１０のシャフト（モータ軸）１３の中心軸線である。Ｙ軸方向は、図１に示される電動オイルポンプの短手方向と平行な方向とする。Ｘ軸方向は、Ｙ軸方向とＺ軸方向との両方と直交する方向とする。
【００１２】
また、以下の説明においては、Ｚ軸方向の正の側（＋Ｚ側）を「リア側」と記し、Ｚ軸方向の負の側（−Ｚ側）を「フロント側」と記す。なお、リア側及びフロント側とは、単に説明のために用いられる名称であって、実際の位置関係及び方向を限定しない。また、特に断りのない限り、中心軸Ｊに平行な方向（Ｚ軸方向）を単に「軸方向」と記し、中心軸Ｊを中心とする径方向を単に「径方向」と記し、中心軸Ｊを中心とする周方向、すなわち、中心軸Ｊの軸周り（θ方向）を単に「周方向」と記す。
【００１３】
なお、本明細書において、軸方向に延びる、とは、厳密に軸方向（Ｚ軸方向）に延びる場合に加えて、軸方向に対して、４５°未満の範囲で傾いた方向に延びる場合も含む。また、本明細書において、径方向に延びる、とは、厳密に径方向、すなわち、軸方向（Ｚ軸方向）に対して垂直な方向に延びる場合に加えて、径方向に対して、４５°未満の範囲で傾いた方向に延びる場合も含む。
【００１４】
［実施形態］
＜全体構成＞
図１は、実施形態に係る電動オイルポンプを部分的に破断して示す斜視図である。実施形態に係る電動オイルポンプ１は、図１に示されるように、モータ部１０と、ポンプ部４０と、インバータ１００とを備える。モータ部１０は、軸方向に延びる中心軸Ｊに沿って配置されたシャフト１３を備える。ポンプ部４０は、モータ部１０の軸方向一方側（リア側）に位置し、モータ部１０によってシャフト１３を介して駆動されてオイルを吐出する。インバータ１００は、モータ部１０よりも＋Ｘ側に配置されて、モータ部１０の駆動を制御する。
【００１５】
＜モータ部１０＞
モータ部１０は、図１に示されるように、シャフト１３と、ロータ２０と、ステータ２２と、モータハウジング１４と、コイル２２ｂと、を備える。
【００１６】
モータ部１０は、例えば、インナーロータ型のモータであり、ロータ２０がシャフト１３の外周面に固定され、ステータ２２がロータ２０の径方向外側に配置される。ロータ２０は、シャフト１３の軸方向他方側（フロント側）に固定される。ステータ２２は、ロータ２０と対向して配置される。
【００１７】
＜ポンプ部４０＞
ポンプ部４０は、図１に示されるように、ポンプロータ４７と、ポンプハウジング５１と、を備える。
【００１８】
（ポンプロータ４７）
ポンプロータ４７は、図１に示されるように、シャフト１３のリア側に取り付けられる。ポンプロータ４７は、インナーロータ４７ａと、アウターロータ４７ｂと、を備える。インナーロータ４７ａは、シャフト１３に固定される。アウターロータ４７ｂは、インナーロータ４７ａの径方向外側を囲む。
【００１９】
インナーロータ４７ａは、円環状である。インナーロータ４７ａは、径方向外側面に歯を有する歯車である。インナーロータ４７ａは、シャフト１３と共に軸周り（θ方向）に回転する。図１では、アウターロータ４７ｂの破断面を示すために、アウターロータ４７ｂの一部が示されていない。アウターロータ４７ｂは、インナーロータ４７ａの径方向外側を囲む円環状である。アウターロータ４７ｂは、径方向内側面に歯を有する歯車である。アウターロータ４７ｂの径方向外側面は円形である。
【００２０】
インナーロータ４７ａの径方向外側面の歯車とアウターロータ４７ｂの径方向内側面の歯車とは互いに噛み合い、シャフト１３の回転に伴ってインナーロータ４７ａが回転することでアウターロータ４７ｂが回転する。すなわち、シャフト１３の回転によりポンプロータ４７は回転する。モータ部１０とポンプ部４０とは同一の部材からなる回転軸としてのシャフト１３を備える。これにより、電動オイルポンプ１が軸方向に大型化することを抑制できる。
【００２１】
また、インナーロータ４７ａ及びアウターロータ４７ｂが回転することで、インナーロータ４７ａとアウターロータ４７ｂとの噛み合わせ部分の間の容積が変化する。容積が減少する領域が加圧領域となり、容積が増加する領域が負圧領域となる。
【００２２】
（ポンプカバー５２）
ポンプハウジング５１は、Ｚ軸方向のリア側の端に開口を備える。この開口は、ポンプカバー５２によって閉じられる。ポンプカバー５２は、ボルト５３によってポンプハウジング５１に固定される。
【００２３】
（ハウジング）
モータ部１０のモータハウジング１４と、ポンプ部４０のポンプハウジング５１とは、単一の部材の部分である。モータハウジング１４、及びポンプハウジング５１は、金属（例えばアルミ）製の鋳造品からなる。
【００２４】
ポンプ部４０のポンプロータ４７を収容するロータ収容部と、モータ部１０のモータハウジング１４とは、単一の部材の部分であってもよいし、別体であってもよい。また、モータ部１０のモータハウジング１４と、ポンプ部４０のポンプハウジング５１とは、別体であってもよい。
【００２５】
実施形態に係る電動オイルポンプ１のように、モータハウジング１４と、ポンプハウジング５１とが単一の部材の部分である場合、モータハウジング１４と、ポンプハウジング５１とのＺ軸方向における境界は次のように定義される。即ち、シャフト１３をモータハウジング１４内からポンプハウジング５１のロータ収容部に向けて貫通させる貫通穴が設けられる壁のＺ軸方向の中心が両ハウジングのＺ軸方向の境界である。
【００２６】
＜インバータ１００＞
インバータ１００は、電子基板１０１を備える。電子基板１０１は、複数の電子部品１０１ｂと、複数の電子部品１０１ｂが実装される基板１０１ａと、を備える。
【００２７】
図２は、電動オイルポンプ１におけるモータハウジング１４、及びポンプハウジング５１を除く部分を示す斜視図である。図１に示されるモータハウジング１４の内部には、図２に示されるモータ１１が収容される。モータ１１のモータカバー１２の中に、図１に示されるロータ２０、ステータ２２、シャフト１３等が配置される。
【００２８】
インバータ１００は、図２に示されるように、電源に繋がる外部コネクタに接続されるコネクタ１０２を備える。
【００２９】
図３は、電動オイルポンプ１の外観を示す斜視図である。電動オイルポンプ１のモータハウジング１４における＋Ｙ軸方向の端部には、複数の冷却フィン６０が設けられる。
【００３０】
モータハウジング１４における−Ｙ軸方向の端面（以下、側面という）には、第１取り付け面２３、第２取り付け面２５、第１ノックピン穴１８、第１ボルト穴１９、及び吸入口１６が設けられる。第１取り付け面２３、及び第２取り付け面２５は、電動オイルポンプ１の取り付け対象である被取付体としてのトランスミッションに対する取り付け面である。吸入口１６は、トランスミッションから送られてくるオイルをポンプ部４０内に吸入する開口である。
【００３１】
第１取り付け面２３には、第１ボルト穴１９、及び第１ノックピン穴１８が設けられる。第１ボルト穴１９は、トランスミッションに設けられる雌ねじにねじ込まれるボルトを通す穴である。第１ノックピン穴１８は、トランスミッションに設けられる位置決め用の第１ノックピンを嵌め込まれる穴である。
【００３２】
ポンプハウジング５１における−Ｙ軸方向の端面（以下、側面という）には、第３取り付け面５８、第３ボルト穴５７、第２ノックピン穴５６、及び吐出口５４が設けられる。吐出口５４は、ポンプ部４０内のオイルをトランスミッションに向けて吐出する開口である。
【００３３】
第２取り付け面２５には、第２ボルト穴２４が設けられる。第３取り付け面５８には、第３ボルト穴５７、及び第２ノックピン穴５６が設けられる。第１ノックピン穴１８に対してトランスミッションの第１ノックピンが嵌め込まれ、且つ第２ノックピン穴５６に対してトランスミッションの第２ノックピンが嵌め込まれることで、電動オイルポンプ１がトランスミッションに対して位置決めされる。このように位置決めされた電動オイルポンプ１が、第１ボルト穴１９、第２ボルト穴２４、及び第３ボルト穴５７のそれぞれに通されたボルトによってトランスミッションに固定される。
【００３４】
図４は、インバータ（１００）を取り外した状態の電動オイルポンプ１を示す斜視図である。モータハウジング１４内には、端子台２９が配置される。モータハウジング１４内に収容されるモータ１１は、３本のケーブル２８Ｕ，２８Ｖ，２８Ｗを備える。なお、符号の末尾に付されるＵ，Ｖ，Ｗは、Ｕ相用，Ｖ相用、Ｗ相用の部材であることを示す。以下、図面に記載のＵ，Ｖ，Ｗは、あくまでも例示的な記載であり、Ｕ相用，Ｖ相用，Ｗ相用の部材の位置を特定するものではない。
【００３５】
図５は、端子台２９の拡大斜視図である。端子台２９は、樹脂製のベース部材３９と、３つの四角ナット３０Ｕ，３０Ｖ，３０Ｗと、３つのハウジング側端子３１Ｕ，３１Ｖ，３１Ｗとを備える。ベース部材３９は、３つの四角柱状の凹部を備える。これら凹部に、四角ナット３０Ｕ，３０Ｖ，３０Ｗが個別に収容される。四角ナット３０Ｕ，３０Ｖ，３０Ｗの面には、円状の開口を備えるハウジング側端子３１Ｕ，３１Ｖ，３１Ｗが重ねられる。四角ナット３０Ｕ，３０Ｖ，３０Ｗの雌ねじ部と、ハウジング側端子３１Ｕ，３１Ｖ，３１Ｗの円状の開口とが、連通する。ケーブル２８Ｕ，２８Ｖ，２８Ｗの端部は、剥き出しの銅線になっており、ハウジング側端子３１Ｕ，３１Ｖ，３１Ｗの脚部に加締められる。この加締めにより、モータ１１のＵ相，Ｖ相，Ｗ相のコイルと、ハウジング側端子３１Ｕ，３１Ｖ，３１Ｗとが電気接続される。
【００３６】
図６は、電子基板（１０１）が組み付けられていない状態のインバータ１００を示す斜視図である。インバータ１００は、樹脂製のカバー部１０３を備える。有底のカバー部１０３には、コネクタ１０２のリード１０４が、アース、Ｕ相、Ｖ相、Ｗ相用に４つ設けられる。カバー部１０３の底部１０３ａには、第１開口１０３ｂと、第２開口１０３ｃとが設けられる。カバー部１０３は、図１に示されるように、モータハウジング１４内に収容されるモータ１１を覆う。
【００３７】
図７は、電子基板１０１が組み付けられた状態のインバータ１００を示す斜視図である。電子基板１０１には、各種の電子部品１０１ｂと、３つの基板側端子１０５Ｕ，１０５Ｖ，１０５Ｗとが実装される。電子基板１０１は、ねじ止めによってカバー部１０３内に固定される。カバー部１０３に固定された状態の電子基板１０１の一方の面は、カバー部１０３の底部１０３ａの面（底面）に対向する。カバー部１０３は、図７に示されるように、内部に電子基板１０１を収容する。
【００３８】
図８は、電子基板１０１と、リード１０４とを示す断面図である。電子基板１０１は、スルーホール１０１ｃを備える。図７に示されるように、電子基板１０１がカバー部１０３内に固定されるとき、図８に示されるように、リード１０４が電子基板１０１のスルーホール１０１ｃを貫通する。リード１０４は、スルーホール１０１ｃを貫通した状態で電子基板１０１に半田付けされる。この半田付けは、電子基板１０１の両面のうち、カバー部１０３の底部１０３ａに対向していない面の側から行われる。以下、その面を「半田付け側面」という。
【００３９】
図９は、モータハウジング１４にインバータ１００のカバー部１０３が取り付けられた状態の電動オイルポンプ１を、カバー部１０３側から示す平面図である。インバータ１００のカバー部１０３は、図９に示されるように、モータハウジング１４にねじ止めされる。カバー部１０３の底部１０３ａに設けられる第２開口１０３ｃは、電子基板１０１の両面のうち、カバー部１０３の底面との対向面に対向する。また、第２開口１０３ｃは、前述の対向面におけるリード１０４に対向する。
【００４０】
図１０は、モータハウジング１４に取り付けられたカバー部１０３における第１開口１０３ｂの周囲部分を拡大して示す平面図である。電子基板１０１には、３つの貫通穴１０１ｄが設けられる。カバー部１０３の底部１０３ａに設けられた第１開口１０３ｂは、それら３つの貫通穴１０１ｄを通じて、電子基板１０１に実装された基板側端子１０５Ｕ，１０５Ｖ，１０５Ｗに対向する。
【００４１】
図１０に示される基板側端子１０５Ｕ，１０５Ｖ，１０５Ｗは、図１０において基板側端子１０５Ｕ，１０５Ｖ，１０５Ｗの裏に存在するハウジング側端子（３１Ｕ，３１Ｖ，３１Ｗ）に重なっている状態である。また、ハウジング側端子（３１Ｕ，３１Ｖ，３１Ｗ）は、図１０において、ハウジング側端子（３１Ｕ，３１Ｖ，３１Ｗ）の裏に存在する四角ナット（３０Ｕ，３０Ｖ，３０Ｗ）に重なっている状態である。四角ナット（３０Ｕ，３０Ｖ，３０Ｗ）の雌ねじと、ハウジング側端子（３１Ｕ，３１Ｖ，３１Ｗ）の円状の開口と、基板側端子１０５Ｕ，１０５Ｖ，１０５Ｗの開口とは互いに連通する。
【００４２】
図１１は、モータハウジング１４に取り付けられたカバー部１０３の軸方向の端部を、モータハウジング１４に設けられる一部の部品とともにカバー部１０３の内側から示す斜視図である。Ｕ相においては、ハウジング側端子３１Ｕと基板側端子１０５Ｕとが、四角ナット３０Ｕと、四角ナット３０Ｕにねじ込まれた雄ねじ１０６Ｕの頭部との間に挟み込まれる。この挟み込みにより、ハウジング側端子３１Ｕと基板側端子１０５Ｕとが電気接続される。Ｖ相，Ｗ相においても同様に、ハウジング側端子３１Ｖ，３１Ｗと、基板側端子１０５Ｖ，１０５Ｗとが電気接続される。
【００４３】
電子基板１０１に設けられる貫通穴１０１ｄは、雄ねじ１０６Ｕ，１０６Ｖ，１０６Ｗの頭部よりも大径である。このため、雄ねじ１０６Ｕ，１０６Ｖ，１０６Ｗの頭部は、貫通穴１０１ｄを貫通することが可能である。
【００４４】
図１２は、モータハウジング１４に取り付けられたカバー部１０３の軸方向の端部をカバー部１０３の外側から示す斜視図である。カバー部１０３の底部１０３ａには、窪み部１０３ｄが設けられる。第１開口１０３ｂは、その窪み部１０３ｄに設けられる。窪み部１０３ｄには、後述の第１閉塞部材が入れ込まれる。
【００４５】
図１３は、第１開口（１０３ｂ）が塞がれた状態のカバー部の軸方向の端部をカバー部１０３の外側から示す斜視図である。窪み部（図１２の１０３ｄ）に入れ込まれた第１閉塞部材１０３ｅは、窪み部に溶着されて第１開口（１０３ｂ）を塞ぐ。
【００４６】
図１４は、カバー部１０３の二つの開口（１０３ｂ、１０３ｃ）が塞がれた状態の電動オイルポンプ１を示す平面図である。図６に示される第２開口１０３ｃは、図１４に示されるように、第２閉塞部材１０３ｆによって塞がれる。第２閉塞部材１０３ｆは、第１閉塞部材１０３ｅと同様に、底部１０３ａに設けられる窪み部に入れ込まれて溶着される。第１閉塞部材１０３ｅ、及び第２閉塞部材１０３ｆのそれぞれは、カバー部１０３よりも光透過性の高い樹脂からなる。
【００４７】
図１５は、変形例に係る電動オイルポンプ１の端子台２９、及び電子基板１０１を示す正面図である。端子台２９には、６つの凹レール部２９ａが設けられる。Ｕ相のハウジング側端子３１Ｕは、短手方向の両端部のそれぞれを凹レール部２９ａ内に入れた状態で、端子台２９に対し、図１５の紙面に直交する方向に差し込まれる。Ｖ相、Ｗ相のハウジング側端子３１Ｖ，３１Ｗも同様にして、端子台２９に差し込まれる。差し込みによって端子台２９に仮固定されたハウジング側端子３１Ｕ，３１Ｖ，３１Ｗは、四角ナット３０Ｕ，３０Ｖ，３０Ｗへの雄ねじ１０６Ｕ，１０６Ｖ，１０６Ｗのねじ込みにより、基板側端子１０５Ｕ，１０５Ｖ，１０５Ｗとともに端子台２９に固定される。
【００４８】
＜電動オイルポンプ１の作用効果＞
（１）電動オイルポンプ１は、ポンプ部４０と、ポンプ部４０を駆動するモータ部１０と、モータ部１０の駆動を制御するインバータ１００とを備える。モータ部１０は、モータ１１を収容するモータハウジング１４を備える。インバータ１００は、電子基板１０１と、電子基板１０１を収容し、且つモータハウジング１４内のモータ１１を覆うカバー部１０３とを備える。カバー部１０３は、カバー部１０３内に収容される電子基板１０１に対向する第１開口１０３ｂ、及び第２開口１０３ｃと、第１開口１０３ｂを塞ぐ第１閉塞部材１０３ｅと、第２開口１０３ｃを塞ぐ第２閉塞部材１０３ｆとを底部１０３に備える。
【００４９】
かかる構成の電動オイルポンプ１によれば、インバータ１００の電子基板１０１を収容する部材を、モータハウジング１４内のモータ１１を覆うカバー部１０３として兼用して、電動オイルポンプ１の小型化、及び低コスト化を図ることができる。また、前述の構成の電動オイルポンプ１において、作業者は、カバー部１０３の底部１０３ａに設けられる第１開口１０３ｂ、及び第２開口１０３ｃを通じて、カバー部１０３内に収容される電子基板１０１における底部１０３ａとの対向面に対して作業を行うことができる。よって、作業者は、電子基板１０１をカバー部１０３ａから取り外すことなく、電子基板１０１における、カバー部１０３の底面との対向面に対して作業を行うことができる。作業としては、電子基板１０１の状態の確認作業、電子基板１０１に対する部品固定作業、電子基板１０１に対するねじ締付作業等が挙げられる。
【００５０】
（２）電動オイルポンプ１においては、電子基板が、半田付け用のスルーホール１０１ｃを備える。カバー部１０３は、スルーホール１０１ｃに貫通するリード１０４を備える。リードは、スルーホール１０１ｃに半田付けされる。第２開口１０３ｃは、電子基板１０１の両面のうち、カバー部１０３の底部１０３ａとの対向面におけるリード１０４に対向する。
【００５１】
かかる構成の電動オイルポンプ１によれば、作業者は、電子基板１０１をカバー部１０３から取り外すことなく、カバー部１０３の底部１０３ａに設けられる第２開口１０３ｃを通じて、電子基板１０１の確認作業を行うことができる。この確認作業は、カバー部１０３内に収容される電子基板１０１の底部１０３ａとの対向面における、スルーホール１０１ｃとリード１０４との半田付け状態を確認する作業である。
【００５２】
（３）電動オイルポンプ１においては、カバー部１０３が、電源受け入れ用のコネクタ１０２を備え、スルーホール１０１ｃに半田付けされるリード１０４が、コネクタ１０２のリード１０４である。かかる構成の電動オイルポンプ１によれば、作業者は、電子基板１０１をカバー部１０３から取り外すことなく、カバー部１０３の底部１０３ａに設けられる第２開口１０３ｃを通じて、電子基板１０１の確認作業を行うことができる。この確認作業は、カバー部１０３内に収容される電子基板１０１の底部１０３ａとの対向面（半田付け側面とは反対面）における、スルーホール１０１ｃと、コネクタ１０２のリード１０４との半田付け状態を確認する作業である。
【００５３】
（４）電動オイルポンプ１においては、モータハウジング１４が、雌ねじとしての四角ナット３０Ｕ，３０Ｖ，３０Ｗと、四角ナット３０Ｕ，３０Ｖ，３０Ｗに対して電子基板１０１の厚み方向に重ね合わさるハウジング側端子３１Ｕ，３１Ｖ，３１Ｗとを備える。電子基板１０１は、ハウジング側端子３１Ｕ，３１Ｖ，３１Ｗに対して基板厚み方向に重ね合わさる基板側端子１０５Ｕ，１０５Ｖ，１０５Ｗを備える。また、電子基板１０１は、四角ナット３０Ｕ，３０Ｖ，３０Ｗの雌ねじ部にねじ込まれる雄ねじ１０６Ｕ，１０６Ｖ，１０６Ｗの頭部よりも大径の貫通穴１０１ｄを３つ備える。３つの貫通穴１０１ｄは、互いに重なる四角ナット３０Ｕ，３０Ｖ，３０Ｗ、ハウジング側端子３１Ｕ，３１Ｖ，３１Ｗ、及び基板側端子１０５Ｕ，１０５Ｖ，１０５Ｗに対向する。カバー部１０３の底部１０３ａに設けられる第１開口１０３ｂは、電子基板１０１に設けられる３つの貫通穴１０１ｄに対向する。かかる構成の電動オイルポンプ１によれば、作業者は、電子基板１０１をカバー部１０３から取り外すことなく、底部１０３ａに設けられる第１開口１０３ｂと、カバー部１０３内に収容される電子基板１０１の貫通穴１０１ｄとを通じて、固定作業を行うことができる。この固定作業は、基板側端子１０５Ｕ，１０５Ｖ，１０５Ｗと、ハウジング側端子３１Ｕ，３１Ｖ，３１Ｗとを、ねじ止めによって端子台２９に固定する作業である。
【００５４】
（５）電動オイルポンプ１においては、ハウジング側端子、及び四角ナットのそれぞれが、モータハウジング１４に３つ（３１Ｕ，３１Ｖ，３１Ｗ、３０Ｕ，３０Ｖ，３０Ｗ）設けられて３相電源のＵ相、Ｖ相、Ｗ相に個別に電気接続される。基板側端子は、電子基板１０１に３つ（１０５Ｕ，１０５Ｖ，１０５Ｗ）設けられてＵ相、Ｖ相、Ｗ相に個別に電気接続される。貫通穴１０１ｄは、電子基板１０１に３つ設けられて３つの基板側端子（１０５Ｕ，１０５Ｖ，１０５Ｗ）に個別に対向する。かかる構成の電動オイルポンプ１によれば、作業者は、Ｕ相、Ｖ相、Ｗ相について、電子基板１０１をカバー部１０３から取り外すことなく、底部１０３ａに設けられる第１開口１０３ｂと、カバー部１０３内に収容される電子基板１０１の貫通穴１０１ｄとを通じて、固定作業を行うことができる。この固定作業は、基板側端子１０５Ｕ，１０５Ｖ，１０５Ｗと、ハウジング側端子３１Ｕ，３１Ｖ，３１Ｗとを、ねじ止めによって端子台２９に固定する作業である。
【００５５】
（６）電動オイルポンプ１においては、カバー部１０３、第１閉塞部材１０３ｅ、及び第２閉塞部材１０３ｆのそれぞれが、樹脂からなり、第１閉塞部材１０３ｅ、及び第２閉塞部材１０３ｆが、カバー部１０３の底部１０３ａに溶着される。かかる構成においては、第１閉塞部材１０３ｅ、及び第２閉塞部材１０３ｆがねじ止めによって底部１０３ａに固定される構成に比べて、第１閉塞部材１０３ｅと底部１０３ａとの間のシール性を高める。よって、電動オイルポンプ１によれば、第１閉塞部材１０３ｅ、及び第２閉塞部材１０３ｆをねじ止めによって底部１０３ａに固定する構成に比べて、電動オイルポンプ１の防水性、及び防オイル性を高めることができる。
【００５６】
なお、第１閉塞部材１０３ｅ、及び第２閉塞部材１０３ｆが接着によって底部１０３ａに固定される構成であってもよい。かかる構成においても、第１閉塞部材１０３ｅ、及び第２閉塞部材１０３ｆをねじ止めによって底部１０３ａに固定する構成に比べて、電動オイルポンプ１の防水性、及び防オイル性を高めることができる。
【００５７】
（７）電動オイルポンプ１においては、第１閉塞部材１０３ｅ、及び第２閉塞部材１０３ｆのそれぞれが、底部１０３ａよりも光透過性の高い樹脂からなり、底部１０３ａに溶着される。かかる構成においては、底部１０３ａの第１開口１０３ｂの周囲部分（窪み部）に重ね合わせた第１閉塞部材１０３ｅを介して底部１０３ａの第１開口１０３ｂの周囲部分にレーザー照射することが可能である。このようなレーザー照射により、第１閉塞部材１０３ｅは、底部１０３ａに溶着される。第２閉塞部材１０３ｆも同様のレーザー照射によって底部１０３ａに溶着される。かかる溶着では、第１閉塞部材１０３ｅと底部１０３ａとが、隙間なく且つ強固に溶着される。第２閉塞部材１０３ｆも同様に、隙間なく且つ強固に溶着される。よって、電動オイルポンプ１によれば、第１閉塞部材１０３ｅ、及び第２閉塞部材１０３ｆを底部１０３ａに接着する構成に比べて、電動オイルポンプ１の防水性、及び防オイル性を高めることができる。
【００５８】
以上、本発明の好ましい実施形態について説明したが、本発明は、これらの実施形態に限定されず、その要旨の範囲内で種々の変形および変更が可能である。これらの実施形態及びその変形は、発明の範囲及び要旨に含まれると同時に、特許請求の範囲に記載された発名とその均等の範囲に含まれる。
【符号の説明】
【００５９】
１：電動オイルポンプ
１０：モータ部
１１：モータ
１２：モータカバー
１３：シャフト（モータ軸）
１４：モータハウジング
１６：吸入口
１８：第１ノックピン穴
１９：第１ボルト穴
２０：ロータ
２２：ステータ
２３：第１取り付け面
２４：第２ボルト穴
２５：第２取り付け面
２８：吐出口
２９：端子台
３０Ｕ，３０Ｖ，３０Ｗ：四角ナット
３１Ｕ，３１Ｖ，３１Ｗ：ハウジング側端子
３９：ベース部材
４０：ポンプ部
４７：ポンプロータ
４７ａ：インナーロータ
４７ｂ：アウターロータ
５１：ポンプハウジング
５２：ポンプカバー
５３：ボルト
５４：吐出口
５６：第２ノックピン穴
５７：第３ボルト穴
５８：第３取り付け面
１００：インバータ
１０１：電子基板
１０１ａ：基板
１０１ｂ：電子部品
１０１ｃ：スルーホール
１０１ｄ：貫通穴
１０２：コネクタ
１０３：カバー部
１０３ａ：底部
１０３ｂ：第１開口
１０３ｃ：第２開口
１０３ｄ：窪み部
１０３ｅ：第１閉塞部材
１０３ｆ：第２閉塞部材
１０４：リード
１０５Ｕ，１０５Ｖ，１０５Ｗ：基板側端子
１０６Ｕ，１０６Ｖ，１０６Ｗ：雄ねじ
Ｊ：中心軸
【図１】
2020067035.tif 000003
【図２】
2020067035.tif 000004
【図３】
2020067035.tif 000005
【図４】
2020067035.tif 000006
【図５】
2020067035.tif 000007
【図６】
2020067035.tif 000008
【図７】
2020067035.tif 000009
【図８】
2020067035.tif 000010
【図９】
2020067035.tif 000011
【図１０】
2020067035.tif 000012
【図１１】
2020067035.tif 000013
【図１２】
2020067035.tif 000014
【図１３】
2020067035.tif 000015
【図１４】
2020067035.tif 000016
【図１５】
2020067035.tif 000017